(57)【要約】【課題】表示パネルの寿命を効果的に延ばす適当な技術が存在しない。【解決手段】表示パネルのピーク輝度を１フレーム単位で自在に可変制御する発光条件制御装置に、（ａ）１フレーム毎に映像信号の平均階調値をフレーム単位で算出する平均階調値算出部と、（ｂ）数フレーム期間に亘って算出された平均階調値に基づいて、物理的なピーク輝度の低下が視覚的に知覚され難い特定条件を満たす映像信号の入力を検出する特定条件検出部と、（ｃ）特定条件を満たすフレームの検出後その検出状態が解除されるまでの間、事前に設定した低下条件を満たすように、表示パネルのピーク輝度をフレーム単位で低下制御する発光条件制御部とを搭載する。【選択図】図１０
2007147866.tif 000002
【特許請求の範囲】
【請求項１】
表示パネルのピーク輝度を１フレーム単位で自在に可変することができる自発光表示装置において、
１フレーム毎に映像信号の平均階調値をフレーム単位で算出する平均階調値算出部と、
数フレーム期間に亘って算出された平均階調値に基づいて、物理的なピーク輝度の低下が視覚的に知覚され難い特定条件を満たす映像信号の入力を検出する特定条件検出部と、
前記特定条件を満たすフレームの検出後その検出状態が解除されるまでの間、事前に設定した低下条件を満たすように、表示パネルのピーク輝度をフレーム単位で低下制御する発光条件制御部と
を有することを特徴とする自発光表示装置。
【請求項２】
請求項１に記載の自発光表示装置において、
前記発光条件制御部は、１フレーム期間内における表示パネルの発光時間を低下制御する
ことを特徴とする自発光表示装置。
【請求項３】
請求項１に記載の自発光表示装置において、
前記発光条件制御部は、画像データ値に応じて発光素子に印加され得る電圧値又は電流値の最大値をフレーム単位で低下制御する
ことを特徴とする自発光表示装置。
【請求項４】
請求項１に記載の自発光表示装置において、
前記特定条件検出部は、平均階調値の区間平均値に対する現フレームの平均階調値の変化率を逐次算出し、算出された変化率がしきい値よりも小さい場合に、前記特定条件を満たすフレームの出現を検出する
ことを特徴とする自発光表示装置。
【請求項５】
請求項１に記載の自発光表示装置において、
前記低下条件は、１時間で最大ピーク値の９５％以下にピーク輝度を低下させる速度以上、かつ、３０秒で最大ピーク値の５０％までピーク輝度を低下させる速度以下を満たす範囲で与えられる
ことを特徴とする自発光表示装置。
【請求項６】
請求項１に記載の自発光表示装置において、
前記低下条件は、３０分で最大ピーク値の９２％以下にピーク輝度を低下させる速度以上、かつ、４５秒で最大ピーク値の６５％までピーク輝度を低下させる速度以下を満たす範囲で与えられる
ことを特徴とする自発光表示装置。
【請求項７】
請求項１に記載の自発光表示装置において、
前記低下条件は、３分で最大ピーク値の９０％以下にピーク輝度を低下させる速度以上、かつ、１分で最大ピーク値の７５％までピーク輝度を低下させる速度以下を満たす範囲で与えられる
ことを特徴とする自発光表示装置。
【請求項８】
請求項１に記載の自発光表示装置において、
前記低下条件の上限値は、３０秒で最大ピーク値の５０％までピーク輝度を低下させる速度で与えられる
ことを特徴とする自発光表示装置。
【請求項９】
請求項１に記載の自発光表示装置において、
前記低下条件の上限値は、３０秒で最大ピーク値の１２．５％までピーク輝度を低下させる速度で与えられる
ことを特徴とする自発光表示装置。
【請求項１０】
請求項１に記載の自発光表示装置において、
前記低下条件は、１分間にピーク輝度を最大ピーク値の１０％分低下させる間に、３秒以内にピーク輝度を最大ピーク値の５％分を低下させる期間を設けることを許容する
ことを特徴とする自発光表示装置。
【請求項１１】
表示パネルのピーク輝度を１フレーム単位で自在に可変制御する発光条件制御装置において、
１フレーム毎に映像信号の平均階調値をフレーム単位で算出する平均階調値算出部と、
数フレーム期間に亘って算出された平均階調値に基づいて、物理的なピーク輝度の低下が視覚的に知覚され難い特定条件を満たす映像信号の入力を検出する特定条件検出部と、
前記特定条件を満たすフレームの検出後その検出状態が解除されるまでの間、事前に設定した低下条件を満たすように、表示パネルのピーク輝度をフレーム単位で低下制御する発光条件制御部と
を有することを特徴とする発光条件制御装置。
【請求項１２】
表示パネルのピーク輝度を１フレーム単位で自在に可変制御する発光条件制御方法において、
１フレーム毎に映像信号の平均階調値をフレーム単位で算出する処理と、
数フレーム期間に亘って算出された平均階調値に基づいて、物理的なピーク輝度の低下が視覚的に知覚され難い特定条件を満たす映像信号の入力を検出する処理と、
前記特定条件を満たすフレームの検出後その検出状態が解除されるまでの間、事前に設定した低下条件を満たすように、表示パネルのピーク輝度をフレーム単位で低下制御する処理と
を有することを特徴とする発光条件制御方法。
【請求項１３】
表示パネルの発光時間を１フレーム期間内で自在に可変制御するコンピュータに、
１フレーム毎に映像信号の平均階調値をフレーム単位で算出する処理と、
数フレーム期間に亘って算出された平均階調値に基づいて、物理的なピーク輝度の低下が視覚的に知覚され難い特定条件を満たす映像信号の入力を検出する処理と、
前記特定条件を満たすフレームの検出後その検出状態が解除されるまでの間、事前に設定した低下条件を満たすように、表示パネルのピーク輝度をフレーム単位で低下制御する処理と
を実行させるプログラム。
【発明の詳細な説明】
【技術分野】
【０００１】
この明細書で説明する発明は、視覚的に知覚されるピーク輝度を維持したまま能動的にピーク輝度を低減できる技術に関する。
なお、発明者らが提案する発明は、自発光表示装置、発光条件制御装置、発光条件制御方法及びプログラムとしての側面を有する。
【背景技術】
【０００２】
有機ＥＬディスプレイは、広視野角特性、応答速度、広色再現性範囲、高コントラスト性能に優れるだけでなく、表示パネル自体を薄く形成することができる。これらの利点のため、有機ＥＬディスプレイは、次世代フラットパネルディスプレイの最有力候補として注目されている。
しかし、有機ＥＬディスプレイをテレビジョン番組の視聴用途で使用するには、発光素子の発光特性を更に改善する必要がある。
【０００３】
ところが、表示素子を構成する有機ＥＬ素子の開発、特に材料開発には膨大な時間と費用が必要となる。このため、有機ＥＬ素子の駆動方法を改善することにより、寿命を改善する方法が必要となる。
例えば、特許文献１には、発光素子の駆動電圧の変化量を検出し、その変化量に応じて定電流駆動信号を制御する方法が開示されている。
【０００４】
また例えば、特許文献２には、有機ＥＬ素子が発光しない間、有機ＥＬ素子が劣化しないように逆バイアスを印加する方法が開示されている。
また例えば、特許文献３には、画素回路の容量に保持される電荷を積極的に放電することにより、不要な発光時間を抑える方法が開示されている。
【特許文献１】特開５−１７８２６号公報
【特許文献２】特開２００３−１５０１１０号公報
【特許文献３】特開２００２−１６９５０９号公報
【発明の開示】
【発明が解決しようとする課題】
【０００５】
しかし、特許文献１に開示されている発明は、各画素の輝度低下分に対する電流量を調整することで輝度低下を防ぐ方法であり、表示素子の輝度低下を加速させるだけである。従って、有機ＥＬパネルの寿命を改善することはできない。
また、特許文献２に開示されている発明は、リーク電流に起因した輝度低下については改善できるが、積極的に寿命を改善することはできない。
また、特許文献３に開示されている発明も、不要な発光時間に起因した輝度低下については改善できるが、やはり積極的に寿命を改善することはできない。
【課題を解決するための手段】
【０００６】
そこで、発明者らは、表示パネルのピーク輝度を１フレーム単位で自在に可変制御できる場合に、視覚的に知覚されるピーク輝度を維持したまま能動的にピーク輝度を低減できる技術手法を提案する。
すなわち、１フレーム毎に映像信号の平均階調値をフレーム単位で算出する平均階調値算出機能と、数フレーム期間に亘って算出された平均階調値に基づいて、物理的なピーク輝度の低下が視覚的に知覚され難い特定条件を満たす映像信号の入力を検出する特定条件検出機能と、特定条件を満たすフレームの検出後その検出状態が解除されるまでの間、事前に設定した低下条件を満たすように、表示パネルのピーク輝度をフレーム単位で低下制御する発光条件制御機能とを実行する手法を提案する。
【発明の効果】
【０００７】
発明に係る手法の採用により、視覚的に知覚されるピーク輝度を維持したまま能動的にピーク輝度を低下させることができる。この結果、視聴画質に影響を与えることなく、表示パネルの長寿命化を実現できる。また同時に、表示パネルの消費電力化を実現できる。
【発明を実施するための最良の形態】
【０００８】
以下、発明に係る処理機能を搭載した有機ＥＬパネルモジュールを例に、自発光表示装置を説明する。
なお、本明細書で特に図示又は記載されない部分には、当該技術分野の周知又は公知技術を適用する。
また以下に説明する形態例は、発明の一つの形態例であって、これらに限定されるものではない。
【０００９】
（Ａ）ピーク輝度の調整
表示パネルの使用期間中にピーク輝度がａ％低下すれば、表示パネルの信頼性時間をａ％程度改善することができる。例えば、１０％のピーク輝度の低下は表示パネルの信頼性時間を１０％程度改善することができる。勿論、ピーク輝度が下がれば低消費電力化も実現できる。
そこで、表示パネルのピーク輝度を調整する手法について説明する。
【００１０】
表示パネルのピーク輝度は、最大データの入力時に表示素子に印加される出力電圧（出力電流）又は発光時間の可変制御により調整することができる。
図１に、発光時間と発光輝度との関係を示す。図１に示すように、発光輝度は発光時間に対して線形に変化する。
図２（Ａ）に、表示素子に印加される出力電圧と発光輝度との関係を示す。図２（Ｂ）に、入力映像信号の階調値（％）と表示素子に印加される出力電圧（基準値を１００％で表す。）との間の入出力関係を示す。
【００１１】
ここで、図２（Ｂ）に実線で示す曲線は基準値に対応する入出力関係であり、破線で示す曲線は最大データの入力時に表示素子に印加される最大出力電圧Ｖmax （最大出力電流Ｉmax ）を可変制御した場合の入出力関係を示す。図２に示すように、同じ入力階調値でも最大出力電圧Ｖmax （最大出力電流Ｉmax
）を可変制御すると、発光輝度が可変制御される。
【００１２】
さて、表示パネルのピーク輝度は、最大出力電圧Ｖmax （最大出力電流Ｉmax ）と発光時間との積Ｓで与えられる。
従って、発光時間又は最大出力電圧Ｖmax （最大出力電流Ｉmax ）を個別に可変制御すれば、表示パネルのピーク輝度を可変制御することが可能となる。
【００１３】
（Ｂ）物理的なピーク輝度の低下が視覚的に知覚され難い特定条件
前述したように、ピーク輝度を低下させることができれば、表示パネルの長寿命化や低消費電力化を実現できる。しかし、そのためにピーク輝度の低下が人に知覚され、画質の劣化として認識されることは避ける必要がある。
発明者らは、人の目は同じ表示パターン（変化の少ない映像を含む。）を見続ける場合、時間をかけて徐々にピーク輝度を低下させると、ピーク輝度の低下をほとんど知覚できないことを実験により確認した。以下、実験により確認した特定条件について説明する。
【００１４】
（Ｂ−１）最適条件例
図３に、発明者らが実験により確認した物理的な最適条件例を示す。図３は、横軸に時間（分）、縦軸にピーク輝度レベル（階調データの最大値が入力される場合の発光輝度を１００％とする。）で示す。
図中、太線の外枠で示す範囲が、発明者らが実験を通じて確認した最適条件である。最適条件の範囲は、制御開始後の低下速度と制御開始後の低減量の下限とで与えられる。
【００１５】
なお、ここで説明する最適条件は、全ての映像作品又は番組に対して最適であることを意味するのではない。実装時には、映像作品又は番組の内容や表示パネル等の特性に応じて最適な条件を求めることが要求される。
発明者らは、低下速度の最大値として３０秒で最大ピーク値の５０％まで低下させることを提案する。また、発明者らは、低下速度の最小値として６０分で最大ピーク値の９５％（従って、低下量は５％）まで低下させることを提案する。
【００１６】
勿論、低下速度をより低速にすることは可能であるが、その場合には目的である長寿命化と低消費電力化の効果が顕著とは言えなくなく。このため、ここでは前述した条件を例示している。
また、低下速度をより高速化しても実用に支障が生じない可能性も考えられなくはない。しかし、ピーク輝度の低下速度があまり大きくなると（結果的に低下量が大きくなると）、人の目にピーク輝度の変化が知覚され易くなるためあまり好ましくない。
【００１７】
図３に示す外枠で囲まれた範囲内であれば、物理的なピーク輝度の低下を人が視覚的に知覚することは難しい。
なお実用的には、図３中に網掛け表示したように、４５秒間で最大ピーク値の６５％まで低下させる速度以下、３０分で最大ピーク値の９２％まで低下させる速度以上であることが望まれる。
【００１８】
さらに好ましくは、図４に太線の外枠で囲んだ範囲、すなわち１分間で最大ピーク値の７５％まで低下させる速度以下、３分間で最大ピーク値の９０％まで低下させる速度以上であることが望ましい。この範囲内での低下制御は、ほぼ全ての映像に適用できる。
なお、発明者らの実験結果では、１分間で最大ピーク値の９０％くらいまでピーク輝度を低下させる速度以上であって、３分間で最大ピーク値の８０％くらいまでピーク輝度を低下させる速度以下の範囲が最も良い結果が得られた。
【００１９】
なお、低下速度については、以下のように条件を与えることもできる。図５は、低下速度の上限値を与える例である。低下速度の上限値は、図３の場合と同様、３０秒間で最大ピーク値の５０％まで低下させる速度で与えられる。そして、最適値は、３０秒間で最大ピーク値の１２．５％まで低下させる速度で与えられる。
これらの条件を満たすことが、ピーク輝度の低下による画質の低下を知覚させずに表示パネルの長寿命化と低消費電力化の実現に効果的である。
【００２０】
ところで、前述した最適範囲には例外もある。例えば、非常に短時間では急激にピーク輝度を低下させても人にピーク輝度の変化を知覚させずに済む場合がある。
図６に、そのような最適条件の一例を示す。図６は、３秒以内に最大ピーク値の９３％（３０秒に換算すると最大ピーク値の３０％）まで低下させるが、その後はこの低下分も含めて１分以内に最大ピーク値の９０％まで低下させる例を示している。
【００２１】
このように瞬間的にはピーク輝度を急変させても、その後はピーク輝度を漸減させるように制御することにより、目的とする効果を十分に発揮させることができる。
なお、かかる急激なピーク輝度の低下制御は低下開始直後に限定されず、低下制御中のどの時点で実行しても良い。要するに、低下制御のある期間内での低下量が一定範囲内に収まれば、一時的にピーク輝度を急変させても良い。
【００２２】
（Ｃ）有機ＥＬパネルの構造例
続いて、前述したピーク輝度の低下制御を可能とする有機ＥＬパネルモジュールの構造例を説明する。
図７に、有機ＥＬパネルモジュール１の構造例を示す。有機ＥＬパネルモジュール１は、発光領域３Ａ（有機ＥＬ素子がマトリクス状に配列された領域）と、画像の表示を制御するパネル駆動回路とで構成される。
パネル駆動回路は、データドライバ５、最大出力電圧制御用ドライバ７Ａ、ゲートスキャンドライバ７Ｂ、点灯時間制御用ゲートドライバ７Ｃで構成される。なお、パネル駆動回路は、発光領域３Ａの周辺部に形成する。
【００２３】
各画素に対応する有機ＥＬ素子３Ｂとその駆動回路（画素駆動回路）３Ｃは、データ線３Ｄと走査線３Ｅの交点位置に配置されている。画素駆動回路３Ｃは、データスイッチ素子Ｔ１、キャパシタＣ１、電流駆動素子Ｔ２、点灯スイッチ素子Ｔ３で構成される。
このうち、データスイッチ素子Ｔ１は、データ線３Ｄを通じて与えられる電圧値の取り込みタイミングを制御するのに用いられる。取り込みタイミングは、走査線３Ｅを通じて線順次で与えられる。
【００２４】
キャパシタＣ１は、取り込んだ電圧値を１フレームの間保持するのに用いられる。キャパシタＣ１を用いることで、面順次駆動が実現される。
電流駆動素子Ｔ２は、キャパシタＣ１の電圧値に応じた電流を有機ＥＬ素子３Ｂに供給するのに用いられる。駆動電流は、電流供給線３Ｆを通じて供給される。なお、この電流供給線３Ｆには、最大出力電圧制御用ドライバ７Ａを通じて最大出力電圧Ｖmax が印加される。
【００２５】
点灯スイッチ素子Ｔ３は、有機ＥＬ素子３Ｂに対する駆動電流の供給を制御するのに用いられる。点灯スイッチ素子Ｔ３は、駆動電流の供給経路に対して直列に配置される。点灯スイッチ素子Ｔ３が閉じている間、有機ＥＬ素子３Ｂが点灯する。一方、点灯スイッチ素子Ｔ３が開いている間、有機ＥＬ素子３Ｂが消灯する。
この点灯スイッチ素子Ｔ３の開閉動作を制御するデューティパルス（図８（Ｂ１）〜（Ｂｎ））を供給するのが点灯制御線３Ｇである。
なお、図８（Ａ）は、基準期間としての１フレーム期間を示す。また、図８（Ｂ１）から図８（Ｂｎ）の順番にデューティパルスによる発光時間が長くなる。
【００２６】
ここで、電流供給線３Ｆに印加する電圧の印加制御は、最大出力電圧制御用ドライバ７Ａが実行する。また、発光時間の可変制御は、点灯時間制御用ゲートドライバ７Ｃが実行する。これらドライバの制御信号は、後述する発光条件制御装置より供給される。
なお、ピーク輝度を発光時間長で制御する制御を採用する場合には、最大出力電圧制御用ドライバ７Ａは全てのフレームについて固定電圧を供給する。一方、ピーク輝度を最大出力電圧Ｖmax で制御する手法を採用する場合には、点灯時間制御用ゲートドライバ７Ｃは、全てのフレームについて固定比のデューティパルスを供給する。
【００２７】
図９に、画素駆動回路３Ｃを形成した発光領域３Ａを搭載する有機ＥＬパネルモジュール１の構造例を示す。図９の場合、発光条件制御装置１１は、タイミングジェネレータ９の一部分として実装する。
なお、発光領域３Ａの周辺回路（パネル駆動回路）は、半導体集積回路としてパネル基板上に搭載しても良いし、パネル基板上に半導体プロセスを用いて直接形成しても良い。
【００２８】
（Ｄ）発光条件制御装置の形態例
以下、ピーク輝度の低下制御を実現する発光条件制御装置１１（図９）の形態例を説明する。
【００２９】
（Ｄ−１）形態例１
図１０に、発光時間の制御によりピーク輝度を低下制御するのに好適な発光条件制御装置１１の構成例を示す。
この発光条件制御装置１１は、平均階調値算出部１３と、特定条件検出部１５と、基準デューティ比信号生成部１７と、デューティ比信号制御部１９とで構成する。
平均階調値算出部１３は、１フレーム毎に映像信号の平均階調値ＡＰＬn をフレーム単位で算出する処理デバイスである。なお、ここでの添字ｎは、時間（例えばフレーム番号）を意味する。
【００３０】
特定条件検出部１５は、数フレーム期間に亘って算出された平均階調値ＡＰＬn の平均値Ｃn に基づいて、物理的なピーク輝度の低下が視覚的に知覚され難い特定条件を満たす映像信号の入力を検出する処理デバイスである。
ここで、特定条件検出部１５は、数フレーム期間に亘って算出された平均階調値ＡＰＬn
の区間平均値Ｃn に対する最新フレームの平均階調値ＡＰＬn の変化率を逐次算出し、算出された変化率がしきい値Ｂよりも小さい場合に、特定条件を満たすフレームが出現したものと判定する。
【００３１】
図１１に、区間平均値Ｃn の算出原理を示す。図１１に示すように、特定条件検出部１５は、直近ｍ個の平均階調値ＡＰＬi 〜ＡＰＬi+m を保存し、その総和をフレーム数ｍで除算演算することにより区間平均値Ｃn
を算出する。ここでの添字ｉは、時間（例えばフレーム番号）である。
図１２に、特定条件検出部１５で実行される特定条件の検出手順例を示す。なお、図１２は、特定条件の検出後に実行されるピーク輝度を図１３に示す低下条件に従って低下させるものとして表している。図１３は、３分間で最大ピーク輝度の９０％までピーク輝度を定速で低減させる場合を表している。
【００３２】
図１２の説明に戻る。特定条件検出部１５は、前述したように直近ｍ個の平均階調値ＡＰＬに基づいて区間平均値Ｃn を算出すると（ＳＰ１）、区間平均値Ｃn と現フレームの平均階調値ＡＰＬn
との差分の絶対値を区間平均値Ｃn で除算演算して変化率を算出し、変化率がしきい値Ｂ以上か否かを判定する（ＳＰ２）。
変化率がしきい値Ｂ以上の場合、特定条件検出部１５は、肯定結果を得てピーク輝度の低下機能をオン状態に制御する。一方、変化率がしきい値Ｂ未満の場合、特定条件検出部１５は、否定結果を得てピーク輝度の低下機能をオフ状態に制御する。
【００３３】
この形態例の場合、しきい値Ｂを１０％に設定する。
勿論、しきい値Ｂは、１０％以下のより小さい値でも良い。しかし、しきい値Ｂが小さすぎると、画面の切り替わりや階調平均値のちょっとした変化にも反応し、ピーク輝度の低下機能が動作しなくなってしまう。すなわち、表示パネルの長寿命化等の効果が十分に発揮され難くなる。
また、しきい値Ｂは、１０％以上のより大きい値でも良い。しかし、しきい値Ｂが大きすぎると、画面の切り替わり後もピーク輝度の低下機能が継続してしまい、本来のピーク輝度での表示が実行され難くなる。
【００３４】
以上のように、直近フレームの平均輝度に対して１０％未満の輝度変化が検出された場合、特定条件検出部１５は、ピーク輝度の低下機能を動作させ、低下量α％を図１３の低下条件を満たす傾きｄだけ加算する（ＳＰ３）。
ただし、低下量α％の上限値Ｅは１０％に制限されるため、特定条件検出部１５は、更新後の低下量α％が上限値Ｅ以下か否かを判定し（ＳＰ４）、更新後の低下量が上限値Ｅを越える場合にはこれを上限値Ｅに制限する処理を実行する（ＳＰ５）。
勿論、更新後の低下量α％が上限値Ｅ以下の場合には、算出された低下量α％がそのまま、デューティ比信号制御部１９に与えられる。
【００３５】
一方、直近フレームの平均輝度に対して１０％以上の輝度変化が検出された場合、特定条件検出部１５は、ピーク輝度の低下機能を停止する。すなわち、低下量α％を０（ゼロ）にリセットする（ＳＰ６）。
基準デューティ比信号生成部１７は、入力映像信号の垂直同期信号Ｖsyncに同期したタイミングで基準デューティ比信号を生成し、デューティ比信号制御部１９に与える処理を実行する。
【００３６】
デューティ比信号制御部１９は、基準デューティ比信号の点灯時間に相当する時間を低下量α％だけ低下させたデューティ比信号を生成し、これを有機ＥＬパネルモジュール１（点灯時間制御用ゲートドライバ７Ｃ）に供給する。このデューティ比信号制御部１９は、「発光条件制御部」として機能する。
この際、信号デューティ比信号は、基準デューティ比信号の点灯時間長を（１００−α）／１００％にパルス幅変調することで与えられる。従って、低下量α％が０（ゼロ）であれば、基準デューティ比信号がそのままデューティ比信号として出力される。
【００３７】
このように、フレーム全体の平均輝度と直近の平均輝度との差が小さい場合には、その状態が継続する限り、３分間でピーク輝度が１０％だけ低下する（最大ピーク輝度の９０％に低下する）ようにピーク輝度を徐々に低下させることができる発光条件制御装置１１を実装することにより、長期的な表示パネルの寿命時間を１０％程度改善することができる。
【００３８】
また、ピーク輝度の低下機能の実装により、ピーク輝度が低下される分だけ消費電力を下げることができる。
さらに、前述したピーク輝度の低下機能は、ソフトウェア処理で実現する場合にも演算負荷が小さく、集積回路で実現する場合にも非常に小規模な回路で実現することが可能であり、有機ＥＬパネルモジュールへの実装に有利である。
【００３９】
（Ｄ−２）形態例２
図１４に、電流供給線３Ｆに印加する最大出力電圧Ｖmax を低下制御するのに好適な発光条件制御装置１１の構成例を示す。なお、図１４には、形態例１（図１０）との対応部分に同一符号を付して示す。
図１４に示すように、この発光条件制御装置１１は、平均階調値算出部１３と、特定条件検出部１５と、最大出力電圧制御部２１とで構成する。最大出力電圧制御部２１以外は、形態例１と同じである。
【００４０】
すなわち、特定条件検出部１５において、ピーク輝度の低下量α％が決定され、最大出力電圧制御部２１に与えられる。この形態例の場合、最大出力電圧制御部２１は、「発光条件制御部」として機能する。
最大出力電圧制御部２１は、入力映像信号の垂直同期信号Ｖsyncに同期したタイミングで最大基準電圧制御信号を生成し、これを有機ＥＬパネルモジュール１（最大出力電圧制御用ドライバ７Ａ）に供給する。
【００４１】
ここで、最大出力電圧制御信号は、基本的には、基準値に対して（１００−α）／１００％の値として与えられる。
ただし、図２に示すように、表示素子の発光輝度が最大出力電圧に比例しない場合には、これらを考慮して可変された値が最大出力電圧制御信号として出力されることになる。
以上のように、１フレーム期間内の発光時間を一定のままで、最大出力電圧Ｖmax を低下制御する手法を採用しても、形態例１と同様の効果を実現することができる。
【００４２】
（Ｅ）他の形態例
（ａ）前述の形態例では、有機ＥＬパネルモジュール１に最大出力電圧制御用ドライバ７Ａと点灯時間制御用ゲートドライバ７Ｃを２つとも搭載するものとして説明した。
しかし、ピーク輝度の低下制御は、発光時間又は最大出力電圧のいずれか一方を可変制御することで実現できる。従って、発光時間を可変制御する方式を採用する場合には最大出力電圧制御用ドライバ７Ａを搭載しない構成を採用し、最大出力電圧を可変制御する方式を採用する場合には点灯時間制御用ゲートドライバ７Ｃを搭載しない構成を採用しても良い。
【００４３】
（ｂ）前述の形態例では、発光時間及び最大出力電圧のいずれか一方を可変制御してピーク輝度を低下制御する場合について説明したが、発光時間及び最大出力電圧の双方を同時に可変してピーク輝度を低減することも可能である。
（ｃ）前述の形態例においては、有機ＥＬディスプレイパネルについて説明したが、無機ＥＬディスプレイパネルにも応用できる。
【００４４】
（ｄ）前述の形態例においては、発光条件制御装置１１を有機ＥＬディスプレイパネル上に実装する場合について説明した。
しかし、この有機ＥＬディスプレイパネルその他の表示装置は、単独の商品形態でも良いし、他の画像処理装置の一部として搭載されても良い。例えば、ビデオカメラ、デジタルカメラその他の撮像装置（カメラユニットだけでなく、記録装置と一体に構成されているものを含む。）、情報処理端末（携帯型のコンピュータ、携帯電話機、携帯型のゲーム機、電子手帳等）、ゲーム機の表示デバイスとしも実現できる。
【００４５】
（ｅ）前述の形態例では、発光条件制御装置１１を有機ＥＬディスプレイパネル上に実装する場合について説明した。
しかし、発光条件制御装置１１は、有機ＥＬディスプレイパネルその他の表示装置に対して入力映像信号を供給する画像処理装置側に搭載しても良い。この場合、画像処理装置から表示装置にデューティパルスや電圧値を供給する方式を採用しても良いし、これらの値を指示する情報を画像処理装置から表示装置に与える方式を採用しても良い。
【００４６】
（ｆ）前述の形態例では、発光条件制御装置１１を機能構成の観点から説明したが、言うまでもなく、同等の機能をハードウェアとしてもソフトウェアとしても実現できる。
また、これらの処理機能の全てをハードウェア又はソフトウェアで実現するだけでなく、その一部はハードウェア又はソフトウェアを用いて実現しても良い。すなわち、ハードウェアとソフトウェアの組み合わせ構成としても良い。
（ｇ）前述の形態例には、発明の趣旨の範囲内で様々な変形例が考えられる。また、本明細書の記載に基づいて創作される又は組み合わせられる各種の変形例及び応用例も考えられる。
【図面の簡単な説明】
【００４７】
【図１】発光時間と発光輝度の関係を説明する図である。
【図２】出力電圧と発光輝度との関係を説明する図である。
【図３】物理的なピーク輝度の低下が視覚的に知覚され難い特定条件例を示す図である。
【図４】特定条件の最適例を示す図である。
【図５】特定条件の制限条件を他の観点から説明する図である。
【図６】特定条件の他の最適例を説明する図である。
【図７】有機ＥＬパネルモジュールの構造例を示す図である。
【図８】発光時間長を制御するデューティパルス例を示す図である。
【図９】有機ＥＬパネルモジュールの構造例を示す図である。
【図１０】発光条件制御装置の形態例１を示す図である。
【図１１】区間平均値Ｃn の算出原理を説明する図である。
【図１２】低下量αの算出例を示す図である。
【図１３】形態例で使用する特定条件例を示す図である。
【図１４】発光条件制御装置の形態例２を示す図である。
【符号の説明】
【００４８】
１        有機ＥＬパネルモジュール
３Ａ      発光領域
５        データドライバ
７Ａ      最大出力電圧制御用ドライバ７Ａ
７Ｂ      ゲートスキャンドライバ
７Ｃ      点灯時間制御用ゲートドライバ
９        タイミングジェネレータ
１１      発光条件制御装置
１３      平均階調値算出部
１５      特定条件検出部
１７      基準デューティ比信号生成部
１９      デューティ比信号制御部
２１      最大出力電圧制御部
【図１】
2007147866.tif 000003
【図２】
2007147866.tif 000004
【図３】
2007147866.tif 000005
【図４】
2007147866.tif 000006
【図５】
2007147866.tif 000007
【図６】
2007147866.tif 000008
【図７】
2007147866.tif 000009
【図８】
2007147866.tif 000010
【図９】
2007147866.tif 000011
【図１０】
2007147866.tif 000012
【図１１】
2007147866.tif 000013
【図１２】
2007147866.tif 000014
【図１３】
2007147866.tif 000015
【図１４】
2007147866.tif 000016